(57)【特許請求の範囲】
【請求項１】
平面部、前面部、後面部及び該前面部と後面部の下端から内側に折り曲げられる中折れ部を有する略コ字状断面を呈する透明なケース状の商品陳列枠本体と、
前記商品陳列枠本体の内側に該商品陳列枠本体の内側形状で嵌め込まれる上面に模様を付した可撓性の化粧シート部材と、
前記商品陳列枠本体の左右両側の開口部に嵌め込まれる一対の蓋部材と、
前記商品陳列枠本体の中折れ部の内隅部に一側の辺が係合し、前記化粧シート部材を内側から支持する支持部材と、を備え、前記支持部材は、板バネであって、内側に凸のアーチ状を形成することにより、前記化粧シート部材を内側から支持することを特徴とする化粧用商品陳列台。
【請求項２】
前記商品陳列枠本体と蓋部材の係合は、該商品陳列枠本体の両端近傍に形成された係合穴と、該蓋部材の係合部の該係合穴に対向する位置に形成された係合突起との係合により行われることを特徴とする請求項１記載の化粧用商品陳列台。
【請求項３】
前記蓋部材は、該蓋部材の上端面に形成された嵌合用上縁部と、下端面に該蓋部材の長手方向に所定のピッチで複数個形成された嵌合用凹部とを有することを特徴とする請求項１又は２記載の化粧用商品陳列台。
【請求項４】
前記化粧シート部材の模様と同じ模様を付した冷ケースの陳列台に載置して使用されることを特徴とする請求項１〜３のいずれか１項記載の化粧用商品陳列台。
【発明の詳細な説明】
【０００１】
【発明の属する技術分野】
本発明は、主にスーパー、百貨店、専門店、コンビニエンスストアー等において、模様を付した陳列台を備える冷ケースに使用される化粧用商品陳列台に関するものである。
【０００２】
【従来の技術】
従来、スーパー、百貨店、専門店等の店内で商品を陳列する方法は、最も単純なものとして、(1) 水平の陳列台に仕切りを設け、その仕切りごとに商品を並べたり、箱等に商品を並べ、この箱等ごと水平の陳列台に載せたものがある。また、(2) 傾斜している陳列台に仕切りや雛壇を設け、その仕切りや雛壇ごとに商品を並べたり、箱等に商品を並べこの箱等ごと傾斜の陳列台に載せたものがある。また、(3) 水平あるいは直線傾斜を選択でき、しかも傾斜角も選択できる角度選択型陳列台に仕切りを設けて、その仕切りごとに商品を並べたり、箱等に商品を並べこの箱等ごと角度選択陳列台に載せたものもある。
【０００３】
これらスーパー等の店内での商品陳列方法は、それにより商品の売れ行きが左右されることが多いから、上記した方法以外にも工夫を凝らし、様々な方法が取られる。特に冷ケース内の商品陳列方法としては、フカシあるいはアンコと呼ばれるような直方体状物や不定形状物を陳列台に１台又は複数台を設置することにより、商品載置面の底上げ、あるいは載置位置の前出しで商品の陳列形態の演出を行っている。更に、近年では冷ケースの陳列台や前記フカシやアンコと呼ばれる陳列台にカラフルな模様を付して更に、陳列の演出効果を高めたものもある。
【０００４】
【発明が解決しようとする課題】
しかしながら、上記(1) 〜(3) の商品陳列方法は、水平又は直線傾斜の陳列台であるため、例えば、ばらもの商品をボリューム感を持たせて陳列させるには充分ではない。また、冷ケース等の狭い空間においては適用し難い。また、前記フカシやアンコと呼ばれる陳列台にカラフルな模様を付して陳列の演出効果を高める方法では、化粧用アンコ等は樹脂製あるいは木製のアンコ本体に化粧用シートを接着剤あるいは何らかの固定手段で外巻きで付設して用いているため、化粧用シートが汚れ易く、汚れたシートを拭き取っているうちに、模様が色落ちする等の問題があった。更に、陳列棚の模様替えの際、化粧用シートを付したアンコ本体の全体を取り替える必要があり、コストを上昇させるという問題があった。
【０００５】
従って、本発明の目的は、汚れ難く、頻繁に行われる陳列棚の模様替えに際しても、簡易な方法で模様交換することができる冷ケース用の陳列台として好適な化粧用商品陳列台を提供することにある。
【０００６】
【発明が解決しようとする手段】
かかる実情において、本発明者は鋭意検討を行った結果、平面部、前面部、後面部及び該前面部と後面部の下端から内側に折り曲げられる中折れ部を有する略コ字状断面を呈する透明なケース状の商品陳列枠本体に、内側から模様を付した可撓性の化粧シート部材を嵌めこみ、該化粧シート部材を前記商品陳列枠本体に密着させるように配置すれば、該化粧シート部材に汚れが付くことがなく、頻繁に行われる陳列棚の模様替えに際しても、簡易な方法で化粧シート部材を交換することができること等を見出し、本発明を完成するに至った。
【０００７】
すなわち、本発明（１）は、平面部、前面部、後面部及び該前面部と後面部の下端から内側に折り曲げられる中折れ部を有する略コ字状断面を呈する透明なケース状の商品陳列枠本体と、前記商品陳列枠本体の内側に該商品陳列枠本体の内側形状で嵌め込まれる上面に模様を付した可撓性の化粧シート部材と、前記商品陳列枠本体の左右両側の開口部に嵌め込まれる一対の蓋部材と、前記商品陳列枠本体の中折れ部の内隅部に一側の辺が係合し、前記化粧シート部材を内側から支持する支持部材と、を備え、前記支持部材は、板バネであって、内側に凸のアーチ状を形成することにより、前記化粧シート部材を内側から支持する化粧用商品陳列台を提供するものである。本発明によれば、商品陳列枠本体の底面の開口から上面に模様を付した化粧シート部材を入れ込み、該商品陳列枠本体の内面に密着するように形状を整えて付設し、更に該化粧シート部材を内側から支持部材で支持するため、外観はあたかも表面に模様が付されたような商品陳列台を構成できると共に、化粧シート部材に汚れが付くことがなく、頻繁に行われる陳列棚の模様替えに際しても、支持部材を外し且つ化粧シート部材を商品陳列枠本体の底面の開口から抜き出すという簡易な方法で、化粧シート部材を交換することができる。
【０００８】
また、本発明（２）は、前記商品陳列枠本体と蓋部材の係合は、該商品陳列枠本体の両端近傍に形成された係合穴と、該蓋部材の係合部の該係合穴に対向する位置に形成された係合突起との係合により行われる前記化粧用商品陳列台を提供するものである。本発明によれば、商品陳列枠本体の左右両側の開口が蓋部材で塞がれるため、外観の意匠が優れたものとなると共に、内部の構造が顧客等の目に触れることはない。また、商品陳列枠本体の左右両側開口部に蓋部材が係合することで、商品陳列枠本体に強度を与えることができる。
【０００９】
また、本発明（３）は、前記蓋部材は、該蓋部材の上端面に形成された嵌合用上縁部と、下端面に該蓋部材の長手方向に所定のピッチで複数個形成された嵌合用凹部とを有する前記化粧用商品陳列台を提供するものである。本発明によれば、積み重ねて使用する際、下方の化粧用商品陳列台の嵌合用上縁部と、上方の化粧用商品陳列台の任意の位置の嵌合用凹部との嵌め合いにより固定が安定し、下方の化粧用商品陳列台と上方の化粧用商品陳列台との固定位置がズレることがない。
【００１１】
また、本発明（４）は、前記化粧シート部材の模様と同じ模様を付した冷ケースの陳列台に載置して使用される前記化粧用商品陳列台を提供するものである。本発明によれば、冷ケース内全体の模様を統一することができ、顧客の目を一層引く演出ができる。
【００１２】
【発明の実施の形態】
次に、本発明の実施の形態における化粧用商品陳列台を図１〜図１１を参照して説明する。図１は本実施の形態例の化粧用商品陳列台の斜視図、図２は本実施の形態例の化粧用商品陳列台の分解図、図３は本例の化粧用商品陳列台で使用する蓋部材を内側から見た図、図４は本例の化粧用商品陳列台で使用する蓋部材を外側から見た図、図５は２つの化粧用商品陳列台を積み重ねる状況を説明する図、図６は図３のＡ−Ａ線に沿ってみた図、図７は蓋部材と商品陳列枠本体の係合状態を説明する図、図８は図１のＢ−Ｂ線に沿ってみた図（但し、簡略化のため化粧シート部材は省略した。）、図９は図１のＣ−Ｃ線に沿ってみた端面図、図１０は本例の化粧用商品陳列台を用いた冷ケースを示す図、図１１は他の例の化粧用商品陳列台を用いた冷ケースを示す図をそれぞれ示す。
【００１３】
図中、化粧用商品陳列台１は、平面部２１、前面部２２、後面部２３及び前面部２２と後面部２３の下端から内側に折り曲げられる中折れ部２４ａ、２４ｂを有する略コ字状断面を呈する透明なケース状の商品陳列枠本体２と、商品陳列枠本体２の内側に商品陳列枠本体２の内側形状で嵌め込まれる上面３１に模様を付した可撓性の化粧シート部材３と、商品陳列枠本体１の左右両側の開口部２５ａ、２５ｂに嵌め込まれる一対の蓋部材４ａ、４ｂと、商品陳列枠本体１の中折れ部２４ａ、２４ｂの内隅部２４１、２４２に一側の辺５１、５２が係合し、化粧シート部材３を内側から支持する支持部材５と、を備える
【００１４】
すなわち、商品陳列枠本体２は、矩形状シートの一側の辺と平行で中心を挟む２つの折り曲げ線で折り曲げて形成される平面部２１と、更に折り曲げ部分を高さ寸法となる一定の幅を採った位置でそれぞれ９０度を超える角度に折り曲げて形成される前面部２２、後面部２３及び前方の中折れ部２４ａ、後方の中折れ部２４ｂを有する形状である。商品陳列枠本体２はこれ自体で自立性を有すると共に、左右両側の開口部２５ａ、２５ｂに蓋部材４ａ、４ｂが係合することで、陳列商品を載置するに十分な強度を与えている。また、商品陳列枠本体２の平面部２１、前面部２２及び後面部２３の両端近傍には、蓋部材４ａ、４ｂが係合する係合穴２６が形成されている。
【００１５】
商品陳列枠本体２は、このような外観が箱状の構造体とすることで、商品陳列に際しては、フカシやアンコ機能を付与でき、底面の開口２８を有することで化粧シート部材を内側から人の手により容易に入れ込むようにでき、そして透明な枠体であるために枠体の裏面に密着して付設された化粧シートの模様をあたかも枠体表面に描かれた模様の如く、見る人に感じさせる。
【００１６】
化粧シート部材３は、商品陳列枠本体２の内側（裏面）に商品陳列枠本体２の内側形状で嵌め込まれる上面に模様を付した可撓性のシートである。このような化粧シート部材３としては、厚さが約０．３mm程度のＰＥＴ樹脂製シート、あるいは塩化ビニール樹脂製シートが挙げられ、各種模様のバリエーションを取り揃えた市販の陳列台用化粧シートを用いることができる。従来の陳列台用化粧シートは陳列台等の上に直接商品を載せるような用途であり、本発明のようなケース状あるいは箱状容器の裏面に入れ込んで使用する方法は採られていない。この化粧シート部材３は、折り紙を折る要領で行えば、図２に示すような形状等は容易に形成することができる。また、化粧シート部材３の平面部３１、前面部３２及び後面部３３の両端近傍には、商品陳列枠本体２と蓋部材４ａ、４ｂの係合手段を回避する溝３４を形成し、化粧シート部材３の商品陳列枠本体２の内側両端部における密着貼付状態を確実なものにしている。化粧シート３は商品陳列枠本体２の平面部、前面部及び後面部の内側に接着剤を使用することなく密着して嵌め込まれるため、外観からはあたかも枠体表面に描かれた模様の如く、見る人に感じさせ、外す際は、支持部材を外すのみで容易に取り出すことができる。
【００１７】
蓋部材４ａ、４ｂは、商品陳列枠本体の左右両側の開口部２５ａ、２５ｂに嵌め込まれるもので、化粧用商品陳列台の外観の意匠形状を整え、商品陳列枠本体を固定すると共に、商品陳列枠本体に強度を与える目的で使用される。すなわち、蓋部材４ａ、４ｂは、商品陳列枠本体２の左右両側の開口部２５ａ、２５ｂの外周形状と同じ外周形状を有する蓋基板４１と、蓋基板４１の内側に付設される商品陳列枠本体２の両端の内周面に係合する係合部４２を有し、商品陳列枠本体２に係合しない下側はリブ部材４６を横並びに配設する係合部材４７を有している。また、係合部４２の商品陳列枠本体２の係合穴に対向する位置には係合突起４４を配し、この係合突起４４と商品陳列枠本体２の係合穴２６とで商品陳列枠本体２と蓋部材４ａ、４ｂとの係合を確実なものにしている。また、蓋部材４ａ、４ｂの上端面には嵌合用上縁部４３が形成され、下端面には蓋部材の長手方向に所定のピッチで６個の嵌合用凹部４８が形成されている。これにより、図５に示すように２つの化粧用商品陳列台を積み重ねて使用する際、下方の化粧用商品陳列台４ａの嵌合用上縁部４３と、上方の化粧用商品陳列台４ａの対向する位置の嵌合用凹部４８とを嵌めることになる。これにより２つの化粧用商品陳列台の固定が安定する。なお、積み重ね形態はこれに限定されず、例えば図１０の第１陳列台にある３個の表彰台形態においても、上方の化粧用商品陳列台４ａの嵌合用凹部４８を選択して適宜嵌合すれば、同様に固定が安定しズレを防止できる。また、蓋部材４ａ、４ｂの下方の両側隅には切り込み部４５、４５を設け、中折れ部２４ａ、２４ｂが収まるようにしている。
【００１８】
支持部材５は、商品陳列枠本体２の中折れ部２４ａ、２４ｂの内隅部２４１、２４２にそれぞれの一側の辺５１、５２が係合し、化粧シート部材５を内側から支持するものである。すなわち、支持部材５はシート状の板バネであって、図９に示すようなアーチ状を形成することにより、化粧シート部材５を内側から支持する。本例では２個の支持部材５を有するが、支持部材５の大きさ及びその設置数については特に制限されない。
【００１９】
次に、化粧用商品陳列台１を構成する各部材の組み付け方法の一例を説明する。先ず、商品陳列枠本体２の底面の開口部２８から上面に模様を付した可撓性の化粧シート部材３を入れ込み、接着剤を使用することなく、商品陳列枠本体２の内側形状に密着するように付設する。化粧シート部材３を商品陳列枠本体２の内側形状に密着する方法としては、図２に示すような予め、化粧シート部材３を商品陳列枠本体２の内側形状に形成しておき、これを底面の開口部２８から入れ込む方法、あるいはシート状物をそのまま、底面の開口部２８から入れ込み、中でシート状物を商品陳列枠本体２の内側形状に折り込む方法が挙げられる。次いで、支持部材５を化粧シート部材３の下方から組み込み、化粧シート部材３の固定を安定化させる。次いで、商品陳列枠本体２の左右両側の開口部２５ａ、２５ｂから蓋部材４ａ、４ｂを嵌め込み、組み込みを完了させる。このような組み込み方法によれば、模様のバリエーションが豊富な化粧シートの中から商品の陳列の演出効果を高めるものを選択し、接着剤を使用することなく、簡単に化粧用商品陳列台を作製でき、また、分解も容易である。
【００２０】
本実施の形態例の化粧用商品陳列台１を使用する場所としては、特に制限されないが、例えば、冷ケースが好適であり、特に、化粧シート部材３の模様と同じ模様を付した冷ケースの陳列台に載置して使用することが、冷ケース内の模様を全て統一化でき、意匠性に富み、顧客の目を引く陳列の演出ができる点で好適である。
【００２１】
本実施の形態例の化粧用商品陳列台１を冷ケースに使用する形態を図１０及び図１１を参照して説明する。図１０中、冷ケース６は格子状模様が上面に描かれた商品第１陳列台８と、陳列棚である同じく格子状模様が上面に描かれた第２陳列台７を有する。冷ケース６には同じく格子状模様が描かれた化粧用商品陳列台１が使用され、第１陳列台８には表彰台形状の陳列棚を演出し、第２陳列台７には段差のある陳列棚を演出している。本例の化粧用商品陳列台１が使用された冷ケース６は商品載置面等、顧客に見える面が全て同じ格子状の模様で統一されており、該模様に特性、機能及び産地等が適応する商品を載置すれば、顧客の目を一層引くことができる。また、図１１は図１０の格子状模様を木目調の模様に代えたもので、この化粧用商品陳列台１ａが使用された冷ケース６は商品載置面が全て同じ木目調の模様で統一されており、該模様に特性、機能及び産地等が適応する商品を載置すれば、顧客の目を一層引くことができる。
【００２２】
本実施の形態例の化粧用商品陳列台１によれば、商品陳列枠本体の底面の開口から上面に模様を付した化粧シート部材を入れ込み、該商品陳列枠本体の内面に密着するように形状を整えて付設し、更に該化粧シート部材を内側から支持部材で支持するため、外観はあたかも表面に模様が付されたような商品陳列台を構成できると共に、化粧シート部材に汚れが付くことがなく、頻繁に行われる陳列棚の模様替えに際しても、支持部材を外し且つ化粧シート部材を商品陳列枠本体の底面の開口から抜き出すという簡易な方法で、化粧シート部材を交換することができる。また、本発明の化粧用商品陳列台を、化粧シート部材の模様と同じ模様を付した冷ケースの陳列台に載置して使用すれば、冷ケース内全体の模様を統一することができ、顧客の目を一層引く演出ができる。
【００２３】
【発明の効果】
本発明の化粧用商品陳列台によれば、汚れ難く、頻繁に行われる陳列棚の模様替えに際しても、簡易な方法で模様交換することができる。
【図面の簡単な説明】
【図１】本実施の形態例の化粧用商品陳列台の斜視図である。
【図２】本実施の形態例の化粧用商品陳列台の分解図である。
【図３】本例の化粧用商品陳列台で使用する蓋部材を内側から見た図である。
【図４】本例の化粧用商品陳列台で使用する蓋部材を外側から見た図である。
【図５】２つの化粧用商品陳列台を積み重ねる状況を説明する図である。
【図６】図３のＡ−Ａ線に沿ってみた図である。
【図７】蓋部材と商品陳列枠本体の係合状態を説明する図である。
【図８】図１のＢ−Ｂ線に沿ってみた図である。
【図９】図１のＣ−Ｃ線に沿ってみた端面図である。
【図１０】本例の化粧用商品陳列台を用いた冷ケースを示す図である。
【図１１】他の例の化粧用商品陳列台を用いた冷ケースを示す図である。
【符号の説明】
１      商品陳列台
２      商品陳列枠本体
３      化粧シート部材
４ａ、４ｂ  蓋部材
５      支持部材
６      冷ケース
７      冷ケースの第２陳列台
８      冷ケースの第１陳列台
２１、３１    平面部
２２、３２    前面部
２３、３３    後面部
２４ａ、２４ｂ  中折れ部
２５ａ        右側開口部
２５ｂ        左側開口部
２６          係合穴
２７          底面開口部
４１          蓋基板
４２          係合部
４３          嵌合上縁部
４４          係合突起
４８          嵌合凹部
【図１】
0004194018.tif 000002
【図２】
0004194018.tif 000003
【図３】
0004194018.tif 000004
【図４】
0004194018.tif 000005
【図５】
0004194018.tif 000006
【図６】
0004194018.tif 000007
【図７】
0004194018.tif 000008
【図８】
0004194018.tif 000009
【図９】
0004194018.tif 000010
【図１０】
0004194018.tif 000011
【図１１】
0004194018.tif 000012